(57)【要約】      （修正有）【課題】ごみ袋を内側面に備え付けて使用するごみ箱を提供する。【解決手段】底板３、及び前記底板の周縁から上方に立設された側壁４によって囲まれた収容空間を有する容体２ａを備え、前記底板の上面に、長尺な凹溝が、ごみ袋ロールを保持可能な幅に形成されてなることにより、現在使用しているごみ袋が満杯になり新しいごみ袋に交換しようとする際には、ごみ箱１内に収容されているごみ袋ロールＲから新しいごみ袋を引き出して口を広げ、ごみ箱に取り付ければ交換が完了させることができる。【選択図】図３
0003224711.tif 000002
【実用新案登録請求の範囲】
【請求項１】
底板、及び前記底板の周縁から上方に立設された側壁によって囲まれた収容空間を有する容体を備え、
前記底板の上面に、長尺な凹溝が、ごみ袋ロールを保持可能な幅に形成されてなる
ことを特徴とするごみ箱。
【請求項２】
筒体に形成されてなると共に前記筒体を構成する周壁を水平として前記凹溝に載置可能なごみ袋ロール保持体を備え、
前記ごみ袋ロール保持体は、
前記筒体の少なくとも一端が解放され、
前記周壁の一部に、前記凹溝に沿って開口されてなる取り出し口が形成され、
前記周壁に囲まれた収納空間がごみ袋ロールを収納可能に形成されてなる
ことを特徴とする請求項１に記載のごみ箱。
【考案の詳細な説明】
【技術分野】
【０００１】
本考案は、ごみ袋を内側面に備え付けて使用するごみ箱に関する。
【背景技術】
【０００２】
従来、樹脂製のごみ袋が連続してロール状に巻かれてなり、先端を引き出すとロールが回転しながら連続的に新しい袋を取り出すことができるごみ袋ロールが開発されている。
【先行技術文献】
【特許文献】
【０００３】
【特許文献１】実開昭６２−２００６０５号公報
【考案の概要】
【考案が解決しようとする課題】
【０００４】
しかし、従来技術はごみ袋ロールをごみ箱とは別の収納場所に収納しておき、ごみ袋を新しくする度にごみ袋ロールを収納場所から取り出す必要があり、作業が煩雑であった。
【課題を解決するための手段】
【０００５】
そこで、上記課題を解決するための手段として本考案に係るごみ箱は、底板、及び前記底板の周縁から上方に立設された側壁によって囲まれた収容空間を有する容体を備え、前記底板の上面に、長尺な凹溝が、ごみ袋ロールを保持可能な幅に形成されてなることを特徴とする。
【０００６】
また、筒体に形成されてなると共に前記筒体を構成する周壁を水平として前記凹溝に載置可能なごみ袋ロール保持体を備え、前記ごみ袋ロール保持体は、前記筒体の少なくとも一端が解放され、前記周壁の一部に、前記凹溝に沿って開口されてなる取り出し口が形成され、前記周壁に囲まれた収納空間がごみ袋ロールを収納可能に形成されてなることとしてもよい。
【考案の効果】
【０００７】
本考案によれば、現在使用しているごみ袋が満杯になり新しいごみ袋に交換しようとする際には、ごみ箱内に収容されているごみ袋ロールから新しいごみ袋を引き出して口を広げ、ごみ箱に取り付ければ交換が完了する。そのため、ごみ袋ロールをごみ箱とは別の収納場所に収納しておく必要がなく、ごみ袋の交換の度毎にごみ袋ロールを別の収納場所から運んでくる手間も不要となる。
【０００８】
また、本考案によれば、ごみ袋ロールをごみ箱の底板に形成された凹溝上に載置することができるため、ごみ袋ロールのごみ箱内への設置作業もごみ箱内へ手を入れてごみ袋ロールを凹溝上に載せるだけで完了させることができ、設置作業を簡略に行うことができる。
【０００９】
さらに、本考案によれば、凹溝上にごみ袋ロールを直接載置する代わりに、ごみ袋ロールを内部に収納して保持したごみ袋ロール保持体を載置しておくことができる。ごみ袋ロールをごみ袋ロール保持体の内部に収納しておくことで、ロール状に巻き取られた状態のごみ袋ロールが緩みやすい場合にも、緩みを抑制し、ロール状を維持しておくことができる。さらに、ごみ袋ロール保持体に設けられた取り出し口から新たなごみ袋を引き出すことで、ごみ袋ロールをごみ袋ロール保持体の内部に保持しながらごみ袋の交換作業を行うことができる。
【００１０】
さらにまた、ごみ袋ロール保持体は、筒体の少なくとも一端が解放されてなるため、内部に収納していたごみ袋が全て消費された後、新たなごみ袋ロールを更新して収納する際には、解放されている一端からロール状のごみ袋ロールを挿し入れるだけで収納が可能となる。その際、ごみ袋ロール保持体は凹溝上に載置されているのみであるため、ごみ袋が消費されたごみ袋ロール保持体を凹溝から容体外へ掴み上げて、ごみ袋ロールの更新作業ができる。そのため、ごみ袋ロールの更新作業を、腰をかがめた状態でごみ箱内に腕を挿し入れながら行う必要がなく、更新作業に対する体への負担も回避することができる。
【図面の簡単な説明】
【００１１】
【図１】ごみ箱１の内部構造の部分を示す斜視図である。
【図２】ごみ箱１の凹溝にごみ袋ロールを載置した状態を示す斜視図である。
【図３】ごみ袋ロールから引き出されたごみ袋がごみ箱１に取り付けられた状態を示す縦断面図である。
【図４】ごみ袋ロール保持体が凹溝に載置された状態を示す斜視図である。
【図５】ごみ袋ロール保持体の全体を示す斜視図である。
【図６】ごみ袋ロール保持体の縦断面図である。
【図７】ごみ袋ロール保持体の内部にごみ袋ロールを収納した状態を示す斜視図である。
【図８】ごみ袋ロールを内部に収納したごみ袋ロール保持体を凹溝上に載置した状態のごみ箱１の様子を示す斜視図である。
【図９】ごみ箱からごみ袋ロール保持体を取り出して、ごみ袋ロールを更新する作業の様子を示す図である。
【考案を実施するための形態】
【００１２】
以下、本考案に係る実施の形態を、図を参照しながら詳しく説明する。なお、本明細書及び図面において、実質的に同一の機能構成を有する構成要素については、同一の符号を付することにより重複説明を省略する。
【００１３】
〔実施形態１〕
図１には、ごみ箱１の内部構造の部分を示す斜視図である。ごみ箱１は、底板３、及び底板３の周縁から上方に立設された側壁４によって囲まれた収容空間を有する容体２ａを備える。底板３の上面には、長尺な凹溝５が、ごみ袋ロールＲを保持可能な幅に形成されてなる。
【００１４】
側壁４は、底板３よりも下方にも延設されてなり、底板３及び凹溝５が、ごみ箱１を設置する床面よりも上方に位置するように形成されてなる。ごみ箱１を床面に設置するさいには、側壁４の下端を直接床面に載置することができる。また、側壁４の下端部若しくは底板３の底面に図示しないキャスターを取り付けて、ごみ箱１を移動可能に設置することとしてもよい。
【００１５】
ごみ袋ロールＲは、連続引き出し可能状態の樹脂製のごみ袋群からなるロール状に巻かれた形態を有する。実施形態１において、図２に示すように、ごみ袋ロールＲを凹溝５の上に直接載置することができる。そして、最外周面に位置するごみ袋Ａの端縁を引き出して口を広げることによって、ごみ袋Ａを袋体として形成することができる。図３に示すように、ごみ袋Ａの広げられた口の端縁部を容体２ａの上端縁の内側に取り付けられてなる袋固定具２ｃに挟み込んで掛け止めることで口を開いた状態に保持し、ごみ袋Ａにごみを投入可能な状態に保持することができる。なお、容体２ａの上端開口部は蓋２ｂによって適時閉塞することができる。
【００１６】
〔実施形態２〕
実施形態２として、ごみ箱１は、図４に示すように、筒体７に形成されてなると共に筒体７を構成する周壁８を水平として凹溝５に載置可能なごみ袋ロール保持体６を備えてなる。実施形態２によれば、ごみ袋ロール保持体６は、図５及び図６に示すように、筒体７の一端が解放されて、ごみ袋ロールＲの挿入口９を形成してなると共に、周壁８に囲まれた収納空間１０がごみ袋ロールＲを収納可能に形成されてなる。また、筒体７の他端は閉塞壁１１に形成され、ごみ袋ロールＲの更新時に挿入口９から挿入された新しいごみ袋ロールＲが、勢い余って筒体７の他端から落下することを防止することができる。
【００１７】
周壁８の一部には、図５に示すように、凹溝５に沿って開口されてなる取り出し口１２が形成されてなる。取り出し口１２から、図７に示すように、ごみ袋ロールＲに巻き取られたごみ袋Ａの端縁を途中まで引き出しておくことができる。取り出し口１２からごみ袋Ａの端縁を引き出した状態でごみ袋ロールＲを収納したごみ袋ロール保持体６を、図８に示すように容体２ａの内部に入れて、凹溝５の上に載置しておくことができる。
【００１８】
ごみ袋Ａを新たにごみ箱１に取り付ける際には、容体２ａの中へ腕を挿し入れて、引き出されたごみ袋Ａの端縁を掴んで上方へ引き上げることによって、ごみ袋Ａを袋として取り出すことができる。なお、このとき、ごみ袋ロール保持体６を凹溝５に、簡易に固定しておくことで、引き上げたごみ袋Ａと共に、ごみ袋ロール保持体６が持ち上がってしまうことを防止することができる。
【００１９】
ごみ袋ロール保持体６の収納空間１０に収納していたごみ袋Ａが全て消費された後、新たなごみ袋ロールＲを更新して収納する際には、図９に示すように、挿入口９からロール状のごみ袋ロールＲを矢印Ｘの方向に挿し入れるだけで収納が可能となる。その際、ごみ袋ロール保持体６は、凹溝５上に載置されているのみであるため、ごみ袋Ａが消費されたごみ袋ロール保持体６を凹溝５から矢印Ｙの方向に、容体２ａの外へ掴み上げて、ごみ袋ロールＲの更新作業をすることができる。
【００２０】
そのため、ごみ袋ロールＲの更新作業を、腰をかがめた状態でごみ箱内に腕を挿し入れながら行う必要がなく、更新作業に対する体への負担も回避することができる。
【符号の説明】
【００２１】
１  ごみ箱
２  容体
３  底板
４  側壁
５  凹溝
６  ごみ袋ロール保持体
７  筒体
８  周壁
９  挿入口
１０  収納空間
１１  閉塞壁
１２  取り出し口
【図１】
0003224711.tif 000003
【図２】
0003224711.tif 000004
【図３】
0003224711.tif 000005
【図４】
0003224711.tif 000006
【図５】
0003224711.tif 000007
【図６】
0003224711.tif 000008
【図７】
0003224711.tif 000009
【図８】
0003224711.tif 000010
【図９】
0003224711.tif 000011